(57)【特許請求の範囲】
【請求項１】
事業者に使用許可された無線周波数情報を含む事業者周波数情報を記憶する事業者周波数情報記憶手段、情報取得手段、情報抽出手段、表示制御手段及び設定要求送出手段を有する保守端末装置を用い、自装置が対応可能な無線周波数情報を含む装置周波数情報を記憶する装置周波数情報記憶手段及び設定手段を有する無線通信装置に無線周波数を設定する周波数設定方法であって、
前記情報取得手段が、前記無線通信装置に接続した状態で、該無線通信装置から前記装置周波数情報を取得し、
前記情報抽出手段が、前記情報取得手段により取得した装置周波数情報と前記事業者周波数情報とを照合して両者に共通する無線周波数情報を抽出し、
前記表示制御手段が、前記情報抽出手段により抽出された無線周波数情報を選択可能に表示し、
前記設定要求送出手段が、前記表示制御手段により表示された中から選択された無線周波数情報を設定すべき旨の設定要求を前記無線通信装置に転送し、
前記設定手段が、前記保守端末装置から転送される前記設定要求に基づき設定すべき無線周波数情報に対応する設定パラメータを前記装置周波数情報中から取得し、該設定パラメータを用いて自装置の無線部の無線周波数を設定する
ことを特徴とする無線通信装置の周波数設定方法。
【請求項２】
前記装置周波数情報記憶手段が、前記装置周波数情報として、設定可能な全ての無線周波数情報を記憶する第１のエリアと、既に設定済みの無線周波数情報を記憶する第２のエリアを有し、
前記設定手段が、前記無線周波数の設定後、該設定された無線周波数に対応する無線周波数情報を前記設定済無線周波数情報として前記第２のエリアに記憶する
ことを特徴とする請求項１記載の無線通信装置の周波数設定方法。
【請求項３】
前記情報取得手段が、前記設定可能無線周波数情報及び前記設定済無線周波数情報の両者を取得し、
前記表示制御手段が、前記情報取得手段が取得した無線周波数情報中の前記設定済無線周波数情報を既に設定済みである旨識別可能に表示する
ことを特徴とする請求項２記載の無線通信装置の無線周波数設定方法。
【請求項４】
前記保守端末装置は、事業者周波数情報選択手段を更に具備し、
前記事業者周波数情報記憶手段が、前記事業者周波数情報を各事業者毎に記憶すると共に、
前記事業者周波数情報選択手段が、前記事業者周波数情報を前記事業者毎に選択し、該選択された事業者周波数情報を前記共通する無線周波数を抽出する際の前記装置周波数情報との照合対象として設定する
ことを特徴とする請求項１記載の無線通信装置の無線周波数設定方法。
【請求項５】
事業者に使用許可された無線周波数情報を含む事業者周波数情報を記憶する事業者周波数情報記憶手段を有する保守端末装置との間でデータを送受するデータ送受手段と、
自装置が対応可能な無線周波数情報を含む装置周波数情報を記憶する装置周波数情報記憶手段と、
前記保守端末装置からの取得要求に基づき、前記装置周波数情報記憶手段から前記装置周波数情報を読み出して前記保守端末装置に送出する情報送出手段と、
前記装置周波数情報の送出後、前記保守端末装置が、前記情報送出手段により送出された前記装置周波数情報と前記事業者周波数情報とを照合して両者に共通する無線周波数を抽出し、該抽出された無線周波数を選択可能に表示し、該表示された中から１つの周波数が選択された場合に送出する、該選択された無線周波数を設定する旨の設定要求の受信を監視する設定要求監視手段と、
前記設定要求が受信された場合、該設定要求に基づき設定すべき無線周波数情報に対応する設定パラメータを前記装置周波数情報中から取得し、該設定パラメータを用いて自装置の無線部の無線周波数を設定する設定手段と
を具備することを特徴とする無線通信装置。
【請求項６】
前記装置周波数情報記憶手段は、
少なくとも、選択可能な全ての無線周波数情報を記憶する第１のエリアと、既に設定済みの無線周波数情報を記憶する第２のエリアとを有し、
前記設定手段は、
前記無線周波数の設定後、該設定された無線周波数に対応する無線周波数情報を前記第２のエリアに記憶する処理手段
を更に具備することを特徴とする請求項５記載の無線通信装置。
【請求項７】
無線通信装置との間でデータを送受するデータ送受手段と、
前記無線通信装置の無線通信サービス事業者に使用許可された無線周波数情報を含む事業者周波数情報を記憶する事業者周波数情報記憶手段と、
所定の設定開始指示に基づき、前記無線通信装置から該装置が対応可能な無線周波数情報を含む装置周波数情報を取得する情報取得手段と、
前記情報取得手段により取得した装置周波数情報と前記事業者周波数情報とを照合して両者に共通する無線周波数情報を抽出する情報抽出手段と、
前記情報抽出手段により抽出された無線周波数情報を選択可能に表示する表示制御手段と、
前記表示制御手段により表示された中から選択された無線周波数情報を設定すべき旨の設定要求を前記無線通信装置に送出する設定要求送出手段と
を具備することを特徴とする保守端末装置。
【請求項８】
取得した前記無線周波数情報に含まれる既に設定済みの無線周波数情報に基づき無線周波数が既に設定済みであるか否かを判断する判断手段
を有し、
前記表示制御手段は、
無線周波数が既に設定済みの場合、取得した前記無線周波数情報に含まれる設定可能な全ての無線周波数情報中の前記設定済無線周波数情報を既に設定済みである旨識別可能に表示する処理手段
を更に具備することを特徴とする請求項７記載の保守端末装置。
【請求項９】
事業者周波数情報記憶手段に前記事業者周波数情報を各事業者毎に記憶すると共に、
前記事業者割当周波数情報を前記事業者毎に選択し、該選択された事業者周波数情報を前記抽出手段における前記装置周波数情報との照合対象として設定する事業者周波数情報選択手段を
更に具備することを特徴とする請求項７記載の保守端末装置。
【発明の詳細な説明】
【０００１】
【発明の属する技術分野】
本発明は、保守端末装置を用いて無線通信装置に無線周波数を設定する周波数設定方法に係わり、詳しくは、無線周波数設定に際しての保守者の作業負担及び人為的入力ミスを軽減するための周波数設定方法の改良並びにこれを実現するための保守端末装置、無線通信装置の構造上の改良に関する。
【０００２】
【従来の技術】
一般に、無線通信装置は、通信を行うための主信号系と、装置状態の設定監視を行う制御監視系を備え、その運用開始に先立って、無線周波数や、送信出力等の動作情報等を設定する必要がある。
【０００３】
無線通信装置に無線周波数を設定する方法として、従来は、設定対象の無線通信装置に保守端末装置（パーソナルコンピュータ等が用いられる）を接続し、保守者が使用する無線周波数に対応するハード対応の設定パラメータを設定表から読み取って当該保守端末装置から直接手で入力し、無線通信装置側では、保守端末装置から入力される設定パラメータを自装置の無線部に設定するのが一般的であった。
【０００４】
この従来の周波数設定方法では、無線通信装置内部での設定機能の構成は簡略化できるが、反面、保守者が、毎回、目的とする無線周波数に対応する設定パラメータを設定表から求めこれをその都度入力する必要性から、無線周波数設定に係わる保守者の作業負担が増すこととなった。
【０００５】
ここで、設定可能な無線周波数は無線通信装置毎に決まっており、更には、電波法によって事業者毎に使用可能なものとして割り当てられる無線周波数は限定されているため、間違った無線周波数を設定することは許され難いことである。
【０００６】
このような背景の中にあって、保守者が設定パラメータを直接手で入力することを基本とする従来の周波数設定方法では、先ず、無線通信装置に設定可能な無線周波数と事業者毎に割り当てられた事業者割当周波数の両者に共通する無線周波数を選定する際に間違った無線周波数を選定し易く、更には、この選定した無線周波数に対応するパラメータの入力時に人為的入力ミスが加わって間違った無線周波数が設定される可能性が極めて高かった。
【０００７】
【発明が解決しようとする課題】
このように、上記従来の周波数設定方法では、無線通信装置に設定可能な無線周波数と事業者に割り当てられた事業者割当周波数の両者を満足する無線周波数を保守者自らが選択し、該選択した無線周波数に対応する設定パラメータを変換表から読み取ったうえで保守端末装置から直接手で入力するようにしていたため、無線周波数設定に係わる保守者の作業負担が増すと共に、人為的な入力ミスが発生し易く、電波法に違反する無線周波数設定がなされる危険性が非常に高いという問題点があった。
【０００８】
本発明は、上記問題点を解消し、無線通信装置に設定可能な周波数と事業者に割り当てられた事業者割当周波数の両者に共通する無線周波数を設定する際の保守者の作業負担及び人為的入力ミスを軽減し、簡単かつ正確に上記無線周波数の設定が行える保守端末装置、無線通信装置及びその周波数設定方法を提供することを目的とする。
【０００９】
【課題を解決するための手段】
上記目的を達成するために、本発明の無線通信装置の周波数設定方法は、事業者に使用許可された無線周波数情報を含む事業者周波数情報を記憶する事業者周波数情報記憶手段、情報取得手段、情報抽出手段、表示制御手段及び設定要求送出手段を有する保守端末装置を用い、自装置が対応可能な無線周波数情報を含む装置周波数情報を記憶する装置周波数情報記憶手段及び設定手段を有する無線通信装置に無線周波数を設定する周波数設定方法であって、前記情報取得手段が、前記無線通信装置に接続した状態で、該無線通信装置から前記装置周波数情報を取得し、前記情報抽出手段が、前記情報取得手段により取得した装置周波数情報と前記事業者周波数情報とを照合して両者に共通する無線周波数情報を抽出し、前記表示制御手段が、前記情報抽出手段により抽出された無線周波数情報を選択可能に表示し、前記設定要求送出手段が、前記表示制御手段により表示された中から選択された無線周波数情報を設定すべき旨の設定要求を前記無線通信装置に転送し、前記設定手段が、前記保守端末装置から転送される前記設定要求に基づき設定すべき無線周波数情報に対応する設定パラメータを前記装置周波数情報中から取得し、該設定パラメータを用いて自装置の無線部の無線周波数を設定することを特徴とする。
【００１０】
望ましくは、この無線通信装置の周波数設定方法において、前記装置周波数情報記憶手段が、前記装置周波数情報として、設定可能な全ての無線周波数情報を記憶する第１のエリアと、既に設定済みの無線周波数情報を記憶する第２のエリアを有し、前記設定手段が、前記無線周波数の設定後、該設定された無線周波数に対応する無線周波数情報を前記設定済無線周波数情報として前記第２のエリアに記憶することを特徴とする。
【００１１】
また、この無線通信装置の周波数設定方法において、前記情報取得手段が、前記設定可能無線周波数情報及び前記設定済無線周波数情報の両者を取得し、前記表示制御手段が、前記情報取得手段が取得した無線周波数情報中の前記設定済無線周波数情報を既に設定済みである旨識別可能に表示することを特徴とする。
【００１２】
また、この無線通信装置の周波数設定方法において、前記保守端末装置は、事業者周波数情報選択手段を更に具備し、前記事業者周波数情報記憶手段が、前記事業者周波数情報を各事業者毎に記憶すると共に、前記事業者周波数情報選択手段が、前記事業者周波数情報を前記事業者毎に選択し、該選択された事業者周波数情報を前記共通する無線周波数を抽出する際の前記装置周波数情報との照合対象として設定することを特徴とする。
【００１３】
本発明の無線通信装置は、事業者に使用許可された無線周波数情報を含む事業者周波数情報を記憶する事業者周波数情報記憶手段を有する保守端末装置との間でデータを送受するデータ送受手段と、自装置が対応可能な無線周波数情報を含む装置周波数情報を記憶する装置周波数情報記憶手段と、前記保守端末装置からの取得要求に基づき、前記装置周波数情報記憶手段から前記装置周波数情報を読み出して前記保守端末装置に送出する情報送出手段と、前記装置周波数情報の送出後、前記保守端末装置が、前記情報送出手段により送出された前記装置周波数情報と前記事業者周波数情報とを照合して両者に共通する無線周波数を抽出し、該抽出された無線周波数を選択可能に表示し、該表示された中から１つの周波数が選択された場合に送出する、該選択された無線周波数を設定する旨の設定要求の受信を監視する設定要求監視手段と、前記設定要求が受信された場合、該設定要求に基づき設定すべき無線周波数情報に対応する設定パラメータを前記装置周波数情報中から取得し、該設定パラメータを用いて自装置の無線部の無線周波数を設定する設定手段とを具備することを特徴とする。
【００１４】
望ましくは、この無線通信装置において、装置周波数情報記憶手段は、少なくとも、選択可能な全ての無線周波数情報を記憶する第１のエリアと、既に設定済みの無線周波数情報を記憶する第２のエリアとを有し、前記設定手段は、前記無線周波数の設定後、該設定された無線周波数に対応する無線周波数情報を前記第２のエリアに記憶する処理手段を更に具備することを特徴とする。
【００１５】
本発明の保守端末装置は、無線通信装置との間でデータを送受するデータ送受手段と、前記無線通信装置の無線通信サービス事業者に使用許可された無線周波数情報を含む事業者周波数情報を記憶する事業者周波数情報記憶手段と、所定の設定開始指示に基づき、前記無線通信装置から該装置が対応可能な無線周波数情報を含む装置周波数情報を取得する情報取得手段と、該取得した装置周波数情報と前記事業者周波数情報とを照合して両者に共通する無線周波数情報を抽出する情報抽出手段と、該抽出された無線周波数情報を選択可能に表示する表示制御手段と、該表示中に選択された無線周波数情報を設定すべき旨の設定要求を前記無線通信装置に送出する設定要求送出手段とを具備することを特徴とする。
【００１６】
望ましくは、この保守端末装置において、取得した前記無線周波数情報に含まれる既に設定済みの無線周波数情報に基づき無線周波数が既に設定済みであるか否かを判断する判断手段を有し、前記表示制御手段は、無線周波数が既に設定済みの場合、取得した前記無線周波数情報に含まれる設定可能な全ての無線周波数情報中の前記設定済無線周波数情報を既に設定済みである旨識別可能に表示する処理手段を更に具備することを特徴とする。
【００１７】
また、この保守端末装置において、事業者周波数情報記憶手段に前記事業者周波数情報を各事業者毎に記憶すると共に、前記事業者割当周波数情報を前記事業者毎に選択し、該選択された事業者周波数情報を前記抽出手段における前記装置周波数情報との照合対象として設定する事業者周波数情報選択手段を更に具備することを特徴とする。
【００１８】
【発明の実施の形態】
以下、本発明の実施の形態について添付図面を参照して詳細に説明する。
【００１９】
図１は、本発明に係わる無線通信システムの全体構成を示すブロック図である。このシステムは、所要位置に分散配置される複数のノード装置をリング状に結んで通信を行うリングネットワークシステムを前提としたものであり、リングを構成する複数のノード装置１００〔ベースノード装置１００−１（ＢＮ），リングノード装置１００−２（ＲＮ１），１００−３（ＲＮ２），１００−４（ＲＮ３）〕と、リング外に設けられるセンタノード装置（ＣＮ）２００及びネットワーク管理装置（ＮＭＳ）３００とにより構成される。
【００２０】
このシステムにおいて、ＢＮ及びＲＮ１、ＲＮ２、ＲＮ３は、それぞれ、無線装置１１０，１１１〔（１１０ａ，１１１ａ）、（１１０ｂ，１１１ｂ）、（１１０ｃ，１１１ｃ）、（１１０ｄ，１１１ｄ）〕を備え、これら各無線装置１１０，１１１を介して、互いに対向するノード装置間で相互に無線通信を行うようになっている。
【００２１】
これにより、リング内では、任意のノード装置１００間または各ノード装置１００に接続された通信端末（図示せず）間でデータ伝送等の通信を行うことができる。この通信における伝送方式としては、例えば、非同期転送モード（ＡＴＭ）方式が採用される。
【００２２】
上記リング内での伝送データは、ＢＮを介してＣＮ２００に送られる。ＣＮ２００には、ＢＮを介して収集される各ＲＮ１，ＲＮ２，ＲＮ３からの情報をモニタする機能や該モニタ結果に基づきリング内の各ＲＮ１，ＲＮ２，ＲＮ３を制御する機能等を備えたＮＭＳ３００が接続される。
【００２３】
また、ＣＮ２００は通信網４００に接続される。これにより、ＣＮ２００に収集された情報は、通信網４００を介して他のネットワークへも伝送可能である。
【００２４】
このように、加入者系ネットワークの拠点にＢＮを設置し、該ＢＮをリングネットワークの核として各ＲＮ（ＲＮ１，ＲＮ２，ＲＮ３）からの情報をＣＮ２００に収集して管理するシステムにおいて、ＢＮ及び各ＲＮ１，ＲＮ２，ＲＮ３で構成されるリング内の対向する各無線装置１１０，１１１間にはそれぞれ双方向の無線回線が設けられている。
【００２５】
この双方向の無線回線のうちの一方の回線は、通常時に上述した如くの態様でリング内の情報を伝送するための現用系回線として用いられ、もう一方の回線はある無線通信区間での障害発生時に迂回伝送路を確保するための予備系回線として用いられる。
【００２６】
現用系回線による情報の伝送中、リング内のある無線通信区間で無線装置１１０，１１１が故障する等の障害が発生すると、該障害発生箇所に隣接する対向局同士が、互いに現用系回線を予備系回線に折り返し接続するいわゆるループバック制御を行って迂回伝送路を確保し、通信を維持する。
【００２７】
このシステムは、ＢＮ及び各ＲＮ１，ＲＮ２，ＲＮ３毎に無線装置１１０，１１１を備えて無線通信を行う性格上、その運用開始に先立って、各無線装置１１０、１１１毎に、使用する無線周波数や、送信出力等の動作情報を予め設定する必要がある。
【００２８】
これら各無線装置１１０，１１１に対する動作情報の設定は、図１に示す如く、設定対象の無線装置（図１ではＢＮ内の無線装置１１０ａ）に保守端末装置５０を接続し、該保守端末装置５０から所要の周波数設定プログラムを起動することにより行うことができる。
【００２９】
図２は、図１のシステムにおける無線装置１１０，１１１の基本構成を示すブロック図である。
【００３０】
図２において、無線装置１１０は、各々、アンテナ１０、屋外ユニット（ＯＤＵ：OUTDOOR UNIT）２０、屋内ユニット（ＩＤＵ：INDOOR UNIT）３０を備えて構成され、同様の構成を有する無線装置１１１と、通信装置１００Ａ（図１におけるノード装置１００の本体部に相当）を挟んで接続されている。
【００３１】
ＯＤＵ２０は、ＯＤＵ無線部２１、制御・監視情報入出力回路２２、キャリア送受信回路２３を具備して構成され、ＩＤＵ３０は、ＩＤＵ無線部３１、キャリア送受信回路３２、制御回路３３を具備して構成される。
【００３２】
ＯＤＵ無線部２１とＩＤＵ無線部３１とは、同軸ケーブル（ＩＦケーブル）４０により接続される。この同軸ケーブル４０は、通信用の主信号と制御情報や監視情報等の副信号（後述するデータ取得／設定部３３２による取得／設定対象の無線周波数情報やその際の制御コマンド等も含まれる）とを重畳して伝送可能なものである。
【００３３】
ＯＤＵ２０において、ＯＤＵ無線部２１は、ＩＤＵ無線部３１との間で同軸ケーブル４０を介して通信用の主信号を送受する一方、該主信号をアンテナ１０を介して無線信号として送受信するものである。また、このＯＤＵＩ無線部２１は、制御・監視情報入出力回路２２との間で制御情報や監視情報を送受する処理も行う。
【００３４】
制御・監視情報入出力回路２２は、ＯＤＵ無線部２１との間で制御情報や監視情報を送受すると共に、これらの情報をロジック信号としてキャリア送受信回路２３との間で受け渡し合いながら、該情報に基づく主としてＯＤＵ２０に関する制御、監視を行うものである。この制御の１つとして、後述するデータ取得／設定部３３２との共働によるＯＤＵ無線部２１へのパラメータ設定制御がある。
【００３５】
キャリア送受信回路２３は、上記制御情報や監視情報を同軸ケーブル４０に重畳してＩＤＵ３０内のキャリア送受信回路３２との間で送受するものである。
【００３６】
一方、ＩＤＵ３０において、ＩＤＵ無線部３１は、ＯＤＵ無線部２１との間で同軸ケーブル４０を介して通信用の主信号を送受すると共に、該主信号を通信装置１００Ａとの間で送受し合うものである。また、このＩＤＵ無線部３１は、制御回路３３との間で制御情報や監視情報を送受する処理も行う。
【００３７】
キャリア送受信回路３２は、上記制御情報や監視情報を同軸ケーブル４０に重畳してＯＤＵ２０内のキャリア送受信回路２３との間で送受するものである。
【００３８】
制御回路３３は、ＩＤＵ無線部３１との間で制御情報や監視情報を送受すると共に、これらの情報をロジック信号としてキャリア送受信回路３２との間で受け渡し合いながら、該情報に基づく主として装置全体に関する制御、監視を行うものである
また、制御回路３３は接点監視装置６０に接続されている。制御回路３３は、上述した制御の一環として、ＩＤＵ無線部３１やキャリア送受信回路３２を介して取り込んだ監視情報を基に各部の動作異常を認識し、該異常に対応した警報出力を接点監視装置６０に送出する。
【００３９】
接点監視装置６０は、制御回路３３からの警報出力を基に例えばＲＳ２３２Ｃ等のインタフェース手段を介して通信装置１００Ａに警報接点情報を送出する。通信装置１００Ａでは、接点監視装置６０からの警報接点情報に基づき障害の発生を認識し、該障害を回避するための動作制御（例えば、上述したループバック制御等）を実行する。
【００４０】
更に、制御回路３３は、保守端末装置５０との間で周波数設定に係わる各種データを送受するためのＲＳ２３２Ｃ等のインタフェース手段を備えている。すなわち、この制御回路３３は、上述した制御の他、上記インタフェース手段を介して接続される保守端末装置５０との間で無線装置１１０（あるいは１１１）内のＯＤＵ無線部２１に対して無線周波数を設定する制御機能も併せ持っている。
【００４１】
次に、保守端末装置５０を用いて無線装置１１０に無線周波数を設定する際の動作制御について説明する。
【００４２】
図３は、図２における無線装置１１０の無線周波数設定制御機能に係わる構成を示すブロック図である。なお、図３において、図２における同一機能部分については同一の符号を付している。
【００４３】
図３からも分かるように、本発明の無線装置１１０（１１１も同様）では、ＯＤＵ２０内の制御・監視情報入出力回路２２及びＩＤＵ３０内の制御部３３が無線周波数設定制御に係わる特有の構成を有している。
【００４４】
まず、ＯＤＵ２０内の制御・監視情報入出力回路２２は、制御・監視情報入出力処理部２２１と装置周波数情報記憶部２２２を具備して構成される。
【００４５】
制御・監視情報入出力処理部２２１は、上述した如く、ＯＤＵ無線部２１とキャリア送受信回路２３との間における制御情報や監視情報の入出力処理を行うものである。
【００４６】
また、装置周波数情報記憶部２２２は、例えば図４に示す内容から成る装置周波数情報を記憶するものである。ここで、図４は、装置周波数情報記憶部２２２内に設けられる装置周波数情報テーブル２２２ａの記憶情報の一例を示すものである。この装置周波数情報テーブル２２２ａには、自無線装置１１０が対応可能な複数の無線周波数（送信周波数、無線周波数）に対応する無線周波数情報及び当該各無線周波数を設定するために必要な設定パラメータを記憶する周波数情報記憶エリアの他、該周波数情報記憶エリアに記憶された設定可能な無線周波数の総数（Ｎ波）を記憶する選択可能総数記憶エリアと、上記周波数情報記憶エリアに記憶された設定可能な無線周波数のうちの、既に設定さている無線周波数に対応する無線周波数情報を記憶する現選択周波数記憶エリアが設けられる。
【００４７】
なお、この無線装置１１０の運用開始前等において、無線周波数が未設定の場合には、現選択周波数記憶エリア内には、図４に示す如く“０”が記憶される。以下、この３つの記憶エリアに記憶される全ての情報を装置周波数情報と呼ぶものとする。
【００４８】
また、ＩＤＵ３０内の制御部３３は、図３に示す如く、ＯＤＵ通信部３３１、データ取得／設定部３３２、データ入出力部３３３、装置情報記憶部３３４、監視制御部３３５を具備して構成される。
【００４９】
ＯＤＵ通信部３３１は、データ取得／設定部３３２や監視制御部３３５がＯＤＵ２０との間で制御信号等を送受する場合の当該ＯＤＵ２０との間の通信手順の制御を行う。
【００５０】
データ取得／設定部３３２は、主として、保守端末装置５０からの情報取得要求を受けてＯＤＵ２０内の装置周波数情報記憶部２２２からその記憶情報（図４参照）を取得し保守端末装置５０に送出する制御と、保守端末装置５０からのパラメータ設定要求に基づきＯＤＵ２０内のＯＤＵ無線部２１に当該パラメータを設定する制御を行う。この他、データ取得／設定部３３２は、装置情報記憶部３３４の記憶情報の取得及びこの取得情報に基づく所要の設定制御を行う。
【００５１】
データ入出力部３３３は、データ取得／設定部３３２による上記制御に係わる制御回路３３と保守端末装置５０との間のデータ入出力処理を行う。
【００５２】
装置情報記憶部３３４は、自無線装置１１０の各部の動作状態や設定状態を示す情報を記憶する。
【００５３】
監視制御部３３５は、ＩＤＵ無線部３１やキャリア送受信回路３２から取り込んだ監視情報を基に各部の動作状態の監視、制御を行うと共に、その監視、制御結果の装置情報記憶部３３４への登録の制御を行う。
【００５４】
一方、本発明に係わる保守端末装置５０は、図３に示す如く、データ入出力部５１、コマンド解析部５２、コマンド入力部５３、表示制御部５４、表示部５５、事業者周波数情報記憶部５６、周波数選択部５７を具備して構成される。
【００５５】
データ入出力部５１は、ＩＤＵ３０内の制御回路３３との間のデータ入出力処理を行う。
【００５６】
コマンド解析部５２は、コマンド入力部５３から入力されるコマンドを解析し、この解析結果に応じたコマンドを各部に発行する処理を行う。
【００５７】
表示制御部５４は、コマンド解析部５２からの表示制御コマンドに基づき表示部５５に対して該コマンドに対応した図６（ａ）に示す保守端末操作画面５５ａや同図（ｂ）に示す周波数選択操作画面等を表示する制御を行う。
【００５８】
事業者周波数情報記憶部５６は、図５に示すような内容から成る事業者周波数情報を記憶するものである。すなわち、図５は、事業者周波数情報記憶部５６内に設けられる事業者周波数情報テーブル５６ａの記憶情報の一例を示すものである。この事業者周波数情報テーブル５６ａには、無線装置１１０を用いて無線通信サービスを提供する事業者に割り当てられた無線周波数に対応する無線周波数情報（以下、事業者無線周波数情報という）が記憶されている。
【００５９】
周波数選択部５７は、ＯＤＵ２０の装置周波数情報記憶部２２２から取得した装置周波数情報と事業者周波数情報記憶部５６に記憶された事業者周波数情報とに共通する無線周波数情報の中から指定された１つの無線周波数情報を選択する処理を行う。
【００６０】
本発明の周波数設定方法によれば、それぞれ図３に示す構成を成す無線装置１１０と保守端末装置５０を同図に示す態様で接続した状態で、保守端末装置５０では、所定の設定開始操作に基づき無線装置１１０の装置周波数情報記憶部２２２から装置周波数情報を取得し、この取得した装置周波数情報と事業者周波数情報記憶部５６に記憶された事業者周波数情報とを照合して両者に共通する無線周波数情報を抽出し、この抽出された無線周波数情報を表示部５５に選択可能に表示し、該表示中にコマンド入力部５３での選択操作に応じて１つの無線周波数を選択せしめ、当該選択された無線周波数情報を設定すべき旨の設定要求を前記無線装置１１０に転送する処理を行う一方で、無線装置１１０では、保守端末装置５０から転送される上記設定要求に基づき設定すべき無線周波数情報に対応する設定パラメータを装置周波数情報中から取得し、この設定パラメータを用いて自装置のＯＤＵ無線部２１の無線周波数を設定する処理を行うものである。
【００６１】
次に、本発明の周波数設定方法により、保守端末装置５０を用いて無線装置１１０に無線周波数を設定する際の処理動作を図７及び図８を参照してより詳しく説明する。
【００６２】
ここで、図７は本発明方法に基づく周波数設定時の保守端末装置５０の処理動作を示すフローチャートであり、図８は同無線装置１１０の処理動作を示すフローチャートである。
【００６３】
無線装置１１０に無線周波数を設定する場合、まず、無線装置１１０に保守端末装置５０を図３に示す如くに接続する。これにより、無線装置１１０のＩＤＵ３０のデータ入出力部３３３と保守端末装置５０のデータ入出力部５１とが接続され、両者の間でデータを送受できる状態となる。
【００６４】
この状態で、保守端末装置５０のコマンド入力部５３から周波数設定開始要求コマンドを入力することで無線周波数設定プログラムが起動する。
【００６５】
上記コマンドの入力は、例えば、表示部５５の表示画面を利用して行うことができる。一例として、本実施形態では、保守端末装置５０の表示部５５に図６（ａ）に示すような保守端末操作画面５５ａを表示したうえで、保守者がコマンド入力部５３を適宜操作することで、該保守端末操作画面５５ａ上の「設定」メニューの中から「周波数設定」メニューを選択する。
【００６６】
保守端末装置５０において、上記「周波数設定」メニューの選択操作がなされると、この操作に対応したコマンドがコマンド入力部５３からコマンド解析部５２に入力される。コマンド解析部５２は、この入力コマンドを解析し、周波数設定メニューが選択された旨判定する。
【００６７】
この判定処理は、図７のフローチャート上、ステップ７０１ＹＥＳの判定処理に相当する。
【００６８】
ここで、周波数設定メニューが選択されたことを判定すると（ステップ７０１ＹＥＳ）、保守端末装置５０では、所要の周波数設定プログラムを起動し、このプログラムに基づき、無線装置１１０のＩＤＵ３０内にある制御回路３３に対して情報取得要求を送出すると共に、周波数選択部５７に対して選択対象周波数抽出要求を送出する。
【００６９】
上記情報取得要求は、コマンド解析部５２より、データ入出力部５１、ＩＤＵ３０の制御回路３３内のデータ入出力部３３３を介してデータ取得／設定部３３２に送られる。
【００７０】
データ取得／設定部３３２では、保守端末装置５０との接続後、図８に示すように、上記情報取得要求を受信したか否かを監視（ステップ８０１）しており、この状態で保守端末装置５０から上記情報取得要求を受信すると（ステップ８０１）、ＯＤＵ２０の制御・監視情報入出力回路２２内の装置周波数情報記憶部２２２から装置周波数情報（図４参照）を読み出し（ステップ８０２）、次いで、この読み出した装置周波数情報を保守端末装置５０の周波数選択部５７に送信する（ステップ８０３）。
【００７１】
ここで、上記ステップ８０２での装置周波数情報読み出し処理は、ＩＤＵ３０内のＯＤＵ通信部３３１、同キャリア送受信回路３２、同軸ケーブル４０、ＯＤＵ２０内のキャリア送受信回路２３、同制御・監視情報入出力部２２という経路を通じて行われ、上記ステップ８０３での装置周波数情報送出処理は、ＩＤＵ３０内のデータ入出力部３３３、保守端末装置５０内のデータ入出力部５１、コマンド解析部５２、周波数選択部５７という経路を通じて行われる。
【００７２】
一方、保守端末装置５０では、無線装置１１０に上記情報取得要求送出後、該情報取得要求に基づく無線装置１１０での上記処理（図８におけるステップ８０１〜８０３の処理）により該無線装置１１０のデータ設定／取得部３３２から送られてくる、ＩＤＵ２０の制御・監視情報入出力回路２２内の装置周波数情報記憶部２２２に記憶された装置周波数情報をデータ入出力部５１、コマンド解析部５２を介して周波数選択部５７に取得する（ステップ７０２）。
【００７３】
周波数選択部５７は、コマンド解析部５２から上記選択対象周波数抽出要求を受け取った後、データ設定／取得部３３２から装置周波数情報記憶部２２２内に記憶された無線周波数情報が取得されるのを待って、事業者周波数情報記憶部５６から事業者周波数情報（図５参照）を読み出し（ステップ７０３）、この読み出した事業者周波数情報と無線装置１１０から取得した装置周波数情報との両方に登録された（両者に共通する）設定可能な周波数情報を抽出する（ステップ７０４）。
【００７４】
次いで、周波数選択部５７は、この抽出した周波数情報をコマンド解析部５２を介して表示制御部５４に転送する。表示制御部５４は、コマンド解析部５２から転送される上記周波数情報の全てを表示部５５における予め決められた態様の周波数選択操作画面上に表示する（ステップ７０５）。
【００７５】
その際、周波数選択部５７は、無線装置１１０から取得した装置周波数情報（図４参照）中の現選択周波数記憶エリア内の登録内容に基づき無線周波数が既に設定されているか否かを判定し（ステップ７０６）、その判定結果も併せて表示制御部５４に転送する。
【００７６】
この判定結果を受けた表示制御部５４では、無線周波数が既に設定されている場合（ステップ７０６ＹＥＳ）、上記周波数選択操作画面上において、該選択されている周波数情報に対応する選択状態指示部を「選択状態」として表示し（ステップ７０７）、周波数が未設定の場合（ステップ７０６ＮＯ）、上記周波数選択表示画面上の全ての周波数情報に対応する選択状態指示部を「未選択状態」として表示する（ステップ７０８）。
【００７７】
図６（ｂ）は、上記ステップ７０５〜７０８の表示制御により表示部５５に表示される周波数選択操作画面５５ｂの一例を示すものである。この例では、“以下の周波数から設定して下さい”というガイダンス表示欄の中に、ステップ７０４で抽出された設定可能な全ての周波数情報（送信周波数、受信周波数）と、これら各周波数情報に対応する選択状態指示部（図中、丸印で示される）が表示されている。
【００７８】
このうち、選択状態表示部に関しては、既に設定されている周波数情報に対応するものは黒丸（ステップ７０７での「選択状態」に相当する）で表示され、未設定の周波数情報に対応するものは白丸（ステップ７０８での「未選択状態」に相当する）で表示されている。
【００７９】
この周波数選択操作画面５５ｂの表示中、周波数選択部５７は、該表示中の無線周波数情報の中の１つが選択されたかどうかを判定する（ステップ７０９）。
【００８０】
ここで、周波数選択操作画面５５ｂに表示中の無線周波数情報の中の１つが選択された場合、周波数選択部５７は、該選択された周波数情報をパラメータ設定要求と共に無線装置１１０に送出し（ステップ７１０）、処理を終了する。
【００８１】
その際、選択された周波数情報及びパラメータ設定要求は、周波数選択部５７から、コマンド解析部５２、データ入出力部５１、ＩＤＵ３０の制御部３３内のデータ入出力部３３３を介してデータ取得／設定部３３２へと送られる。
【００８２】
なお、上記周波数選択操作画面５５ｂ上で所望の無線周波数情報を選択するには、保守者が、コマンド入力部５３を用いて、該画面５５ｂ上における選択対象欄（図中、斜線部で示される）を順次移動させ、該選択対象欄が所望の無線周波数情報上に移動した状態で、該画面５５ｂ上の「ＯＫ」ボタンを選択する操作を行えば良い。
【００８３】
このコマンド入力部５３の操作に対応した入力コマンドはコマンド解析部５２を介して周波数選択部５７に転送され、周波数選択部５７は該入力コマンドに基づき１つの周波数が選択されたものとの判定（ステップ７０９ＹＥＳ）を行う。
【００８４】
一方、無線装置１１０では、ＯＤＵ２０の装置周波数情報記憶部２２２内の装置周波数情報を読み出して保守端末装置５０に送出した（ステップ８０３）後、データ取得／設定部３３２が、その後一定時間が経過する（ステップ８０４ＹＥＳ）までの間に、保守端末装置５０からのパラメータ設定要求が受信されたかどうかを監視している（ステップ８０５）。
【００８５】
ここで、一定時間の経過前（ステップ８０４ＮＯ）に、保守端末装置５０からのパラメータ設定要求が受信されると（ステップ８０５ＹＥＳ）、データ取得／設定部３３２は、このパラメータ設定要求と共に受信される周波数情報（選択された周波数情報）を基に、ＯＤＵ２０の制御・監視情報入出力回路２２内の装置情報記憶部２２２から当該周波数情報に対応するハード設定用のパラメータを取得し（ステップ８０６）、該パラメータをＯＤＵ２０のＯＤＵ無線部２１に設定する制御（ステップ８０７）を行う。
【００８６】
これにより、ＯＤＵ無線部２１には、上記パラメータに応じた無線周波数や、送信出力等の各種動作情報が設定されることになる。
【００８７】
その後、データ取得／設定部３３２は、ＯＤＵ無線部２１に設定された無線周波数を基に、装置周波数情報記憶部２２２内の現選択周波数記憶エリア（図４参照）に当該該設定された無線周波数に対応する無線周波数情報を登録する処理を行い（ステップ８０８）、処理を終了する。
【００８８】
なお、上記ステップ８０６〜８０８の処理は、ＩＤＵ３０内のデータ取得／設定部３３２から、同ＯＤＵ通信部３３１、同キャリア送受信回路３２、同軸ケーブル４０、ＯＤＵ２０内のキャリア送受信回路２３、同制御・監視情報入出力部２２、同ＯＤＵ無線部２１という経路を通じて行うことができる。
【００８９】
なお、上述した周波数設定処理（図７及び図８参照）において、保守端末装置５０が無線装置１１１、１１１のＯＤＵ２０から装置周波数情報を取得する処理、保守者により選択された周波数に対応する設定パラメータを取得する処理、あるいはこの設定パラメータをＯＤＵ２０に設定する処理等は上述した処理方法に限られるものではない。
【００９０】
要するに、本発明では、ＯＤＵ２０に装置周波数情報を記憶する一方で、保守端末装置５０に事業者周波数情報を記憶し、保守端末装置５０の保守者からの設定開始要求にも基づき、ＯＤＵ２０から上記装置周波数情報を取得して事業者周波数情報と共通する周波数情報を抽出し、この中から所望の周波数情報を保守者に選択させ、この選択された周波数に相当する設定パラメータをＯＤＵ２０に設定するという主旨の範囲内であれば様々な処理方法を採用して構わない。
【００９１】
また、上記実施形態では、保守端末装置５０に１つの事業者に使用許可された事業者割当情報を記憶し、この１つの事業割当周波数の中から、無線装置１１０、１１１が対応可能な無線周波数と共通する１つの無線周波数を設定する場合について述べたが、他の実施形態として、保守端末装置５０の事業者周波数情報記憶部５６に事業者周波数情報を各事業者毎に記憶すると共に、これらの中から事業者周波数情報を事業者毎に選択し、該選択された事業者周波数情報を上述した共通する無線周波数を抽出する際の装置周波数情報との照合対象として設定するようにしても良い。
【００９２】
この実施形態によれば、複数の事業者に保守端末装置（各事業者毎に無線装置に設定する無線周波数が異なる必要がある）を供給する場合に、保守端末装置側でこれら各事業者毎の事業者周波数情報の切り分け設定することのみで対処でき、無線通信装置側の共通化が図れる。
【００９３】
また、設定対象の無線装置に関しても、上記実施形態で述べたように、ＯＤＵ２０とＩＤＵ３０とに分離された構成のものに限らず、事業者が使用可能な事業者割当周波数より格段に多い対応可能な無線周波数を有し、この中から事業者が使用可能な事業者割当周波数を満足する無線周波数を設定する必要のある無線通信装置全般に適用できるものである。
【００９４】
【発明の効果】
以上説明したように、本発明によれば、無線通信装置に、自装置が対応可能な無線周波数情報を含む装置周波数情報を記憶し、かつ、保守端末装置に、事業者に使用許可された無線周波数情報を含む事業者周波数情報を記憶すると共に、無線通信装置に保守端末装置を接続した状態で、保守端末装置では、無線通信装置から装置周波数情報を取得し、自装置内の事業者周波数情報とを照合して両者に共通する無線周波数情報を抽出してこれらを選択可能に表示した後、該表示中に選択された無線周波数情報を設定すべき旨の設定要求を無線通信装置に転送する一方、無線通信装置では、保守端末装置から転送される設定要求に基づき設定すべき無線周波数情報に対応する設定パラメータを装置周波数情報中から取得し、該設定パラメータを用いて自装置の無線部の無線周波数を設定するようにしたため、上記設定操作開始後、保守者に対して選択が促される無線周波数、すなわち、保守端末装置の選択画面上に表示される無線周波数の数は、無線通信装置が対応可能な無線周波数情報と自装置に記憶された事業者割当周波数情報とに共通する周波数情報のみとなり、無線通信装置が対応可能な無線周波数情報よりも大幅に少ない数に制限されることから、保守者による無線周波数の選択操作が極めて容易となり、しかもこれらを選択するだけでパラメータを直接手で入力する必要がないことから、人為的入力ミスも大幅に低減でき、結果として、保守者による保守作業の負担を軽減し、かつ、無線通信サービス事業者に許可されていない無線周波数が誤設定される作業ミスの低減も図れるという利点を有する。
【００９５】
また、本発明では、保守端末装置に事業者周波数情報を各事業者毎に記憶すると共に、該事業者周波数情報を事業者毎に選択し、当該選択された事業者周波数情報を上記共通無線周波数抽出時における装置周波数情報との照合対象として設定する機能を付加したため、複数の事業者に保守端末装置を供給することを想定した場合に、保守端末装置側でこれら各事業者毎の事業者周波数情報の切り分け設定することのみで対処でき、無線通信装置側の共通化が図れる。また、これにより、１つの保守端末装置を用いて複数の無線通信装置の保守作業を簡単かつ正確に行える。
【図面の簡単な説明】
【図１】本発明に係わる無線通信システムの全体構成を示すブロック図
【図２】図１における無線装置１１０，１１１の基本構成を示すブロック図。
【図３】図２における無線装置１１０の周波数設定機能に係わる構成を示すブロック図。
【図４】無線装置１１０の装置周波数情報記憶部２２２内記憶情報の一例を示す図。
【図５】保守端末装置５０の事業者周波数情報記憶部５６内記憶情報の一例を示す図。
【図６】保守端末装置５０の表示部５５の画面表示例を示す図。
【図７】周波数設定時における保守端末装置５０の処理動作を示すフローチャート。
【図８】周波数設定時における無線装置１１０の処理動作を示すフローチャート。
【符号の説明】
１０  アンテナ
２０  屋外ユニット（ＯＤＵ）
２１  ＯＤＵ無線部
２２  制御・監視情報入出力回路
２２１  制御・監視情報入出力処理部
２２２  装置周波数情報記憶部
２２２ａ  装置周波数情報テーブル
２３  キャリア送受信回路
３０  屋内ユニット（ＩＤＵ）
３１  ＩＤＵ無線部
３２  キャリア送受信回路
３３  制御回路
３３１  ＯＤＵ通信部
３３２  データ取得／設定部
３３３  データ入出力部
３３４  装置情報記憶部
３３５  監視制御部
４０  同軸ケーブル
５０  保守端末装置
５１  データ入出力部
５２  コマンド解析部
５３  コマンド入力部
５４  表示制御部
５５  表示部
５５ａ  保守端末操作画面
５５ｂ  周波数選択操作画面
５６  事業者周波数情報記憶部
５６ａ  事業者周波数情報テーブル
５７  周波数選択部
６０  接点監視装置
１００−１  ベースノード装置（ＢＮ）
１００−２  リングノード装置（ＲＮ１）
１００−３  リングノード装置（ＲＮ２）
１００−４  リングノード装置（ＲＮ３）
１００Ａ  通信装置
１１０，１１０ａ，１１０ｂ，１１０ｃ，１１０ｄ，１１１，１１１ａ，１１１ｂ，１１１ｃ，１１１ｄ  無線装置
２００  センタノード装置（ＣＮ）
３００  ネットワーク管理装置（ＮＭＳ）
４００  通信網
【図１】
0004053710.tif 000002
【図２】
0004053710.tif 000003
【図３】
0004053710.tif 000004
【図４】
0004053710.tif 000005
【図５】
0004053710.tif 000006
【図６】
0004053710.tif 000007
【図７】
0004053710.tif 000008
【図８】
0004053710.tif 000009